Podtech/llm-jp-corpus-v4-ja_patent huggingface dataset:
(57)【要約】【課題】  高い回転出力を発生でき、モーター自体の寿命を長くさせることができる、直巻き式を利用した冷却ファン内蔵モーターを提供する。【解決手段】  ケースの内側にステーターコイルを設けて、ローターコイルと直列に接続し、軸にコイルとの距離を少しあけた位置に、軽い耐熱製の羽根を設けることを特徴とする直巻き式を利用した冷却ファン内蔵モーター。【選択図】  図２
2006197784.tif 000002
【特許請求の範囲】
【請求項１】
ケースの内側にステーターコイルを設けて、ローターコイルと直列に接続し、軸にコイルとの距離を少しあけた位置に、軽い耐熱製の羽根を設けることを特徴とする直巻き式を利用した冷却ファン内蔵モーター。
【発明の詳細な説明】
【技術分野】
【０００１】  本発明は、高い回転出力を発生でき、モーター自体の寿命を長くさせることができる構造の、直巻き式を利用した冷却ファン内蔵モーターに関するものである。
【背景技術】
【０００２】  従来は、高い回転出力を得るためにはステーターに強力な磁石を使って、それによりモーター内でこもった高熱は、小さな穴から自然に逃がしていました。
【発明の開示】
【発明が解決しようとする課題】
【０００３】  そのために、次のような問題点があった。
（イ）高い回転出力を得るためには、ステーターにそれなりの高価で強力な永久磁石を用いるか、モーターを大型にしなければならなかった。
（ロ）コイルは高電力や長時間の使用によって高温になり、それが原因で寿命が短かった。
本発明は、これらの問題点を解決するためになされたものである。
【課題を解決するための手段】
【０００４】  ケースの内側にステーターコイルを設けて、ローターコイルと直列に接続する。そして、軸にコイルとの距離を少しあけた位置に、軽い耐熱製の羽根を設ける。以上を特徴とする直巻き式を利用した冷却ファン内蔵モーターである。
【発明の効果】
【０００５】  高回転を得るために高価な磁石を使わなくても、コイルを使用するので安価である。直巻き式ＤＣモーターであるために、流す電流を増やすと、ステーターがつくる界磁もローターコイルがつくる磁極も同様に強くなる。この関係は、流れる電流の増大の２乗に比例するために、界磁が一定のモーターよりもトルクの増加幅は大きくなりますから、非常に大きなトルクを出すことができる。冷却ファンが内蔵されているので、コイルが高温になるのを防げることからモーター自体の寿命を長くさせることができる。
【発明を実施するための最良の形態】
【０００６】以下、本発明の実施の形態について説明する。
（イ）  軸（１）にローターコイル（２）を設けて、少し離れた位置に軽い耐熱製の羽根（３）を設ける。
（ロ）  ケース（４）の内側にステータコイル（５）を設けて、軸（１）を通す。
（ハ）  キャップ（６）にブラシ（７）を設けて、軸（１）を通して装着する。
（ニ）  配線Ａ（８）を、ステーターコイル（５）とブラシ（７）に接続する。
（ホ）  配線Ｂ（９）を、ステーターコイル（５）と電源に接続する。
（ヘ）  配線Ｃ（１０）を、ブラシ（７）と電源に接続する。
本発明は以上のような構成で、これを使用するときは、配線Ｂ（９）と配線Ｃ（１０）を電源に接続し電気を流して、ローターコイル（２）と軸（１）を回します。羽根（３）が軸（１）に取り付けられているために、羽根（３）が回って風を起こしてステーターコイル（５）とローターコイル（２）を冷却します。
【図面の簡単な説明】
【０００７】
【図１】本発明の斜視図
【図２】本発明の断面図
【符号の説明】
【０００８】    １    軸
２    ローターコイル
３    羽根
４    ケース
５    ステーターコイル
６    キャップ
７    ブラシ
８    配線Ａ
９    配線Ｂ
１０  配線Ｃ
【図１】
2006197784.tif 000003
【図２】
2006197784.tif 000004
(57)【要約】      （修正有）【課題】発電機のコイル間の磁気をより多く通して、高効率とすること。また、製造性、生産性を向上すること。【解決手段】発電機に使用する磁石の一部を球状、粒状、粉状などになっている磁石１を用いる。磁石１はビニール、シリコン、ソフトプラスチックなどで密封することで場所を選ばず自由に使用できる。発電機のコイル４の間、上下左右何れかにも電流を絶縁する素材で磁気の通るステンレス、プラスチック、油紙等で作られたケースに球状、粒状、粉状などになっている磁石１を流し込む。【選択図】図７
2006197782.tif 000002
【特許請求の範囲】
【請求項１】
発電機に使用する磁石の一部を球状、粒状、粉状などになっている磁石を利用し発電力をあげる発明。
【請求項２】
球状、粒状、粉状などになっている磁石はビニール、シリコン、ソフトプラスチックなどで密封することで場所を選ばず自由に使用できる。
【請求項３】
球状、粒状、粉状などになっている磁石は磁気が全ての方向に作用するためコイルに対して有効である。
【請求項４】
球状、粒状、粉状などになっている磁石は粒子が細かくて鉄片に無い磁気の通気性を有するのでコイルの発電に有効である。
【請求項５】
球状、粒状、粉状などになっている磁石は発電機のコイルの間に流し込めるため製造上も有効である。
【請求項６】
球状、粒状、粉状などになっている磁石を利用することによりシリコンやビニール、ソフトプラスチックなどの薄く細いホース状のものにいれコイルと共に巻くなどして使用できる。
【請求項７】
球状、粒状、粉状などになっている磁石を請求項６で述べたようなホース状にしそれを数本二つ編み、三つ編み、組みひものように組み合わせるとより有効である。
【請求項８】
プラスックの糸巻きのような物にコイルを幾重にも巻きビニールなどでゼツエンし缶状の物に入れ、その缶状の物と巻いて入れたゼツエンしたコイルの間に隙間無く球状、粒状、粉状などになっている磁石を入れ密封し外側に板状の磁石をつけた物を幾つもつけることにより、効率の良い発電が出来る。
【請求項９】
針金やテグスなどに球状中心に穴をあけ（すでに穴の開いているものが商品化されているのでそれを使用しました。）極をそろえて通し請求項７で述べたように二つ編み、三つ編み、組みひも、芯のように使用するとより発電の効率がいい結果となる。
【発明の詳細な説明】
【技術分野】
【０００１】  本発明は発電機のコイルに電流を発生させるための鉄に球状、粒状、粉状などになっている磁石を用いる。
【背景技術】
【０００２】  従来の発電機に於ては鉄片を使用している。
【発明が解決しようとする課題】
【０００３】  従来の発電機に於てはコイルの間に設置する鉄片が薄く何層にも重ねる事によりコイルに磁気が万遍なく行き渡る様に据付けてあるが、その重ねた方向には磁気は通るが上、下にはただの１個の鉄としてしか作用しない。又鉄片を如何に薄く重ねても限界がある。
【課題を解決するための手段】
【０００４】  発電機はいままで磁気を通すために鉄片を用いていたが直接、球状、粒状、粉状などになっている磁石を使用することにより効率の良い発電をする。球状、粒状、粉状などになっている磁石はあらゆる方向に磁気に対して同時に反応する。球状、粒状、粉状などになっている磁石はビニール、シリコン、ソフトプラスチックなどのホース状のもので密封することで自由に場所を選ばず使用できる。針金やテグスなどに球状中心に穴をあけ（すでに穴の開いているものが商品化されているのでそれを使用しました。）極をそろえて通し請求項７で述べたように二つ編み、三つ編み、組みひも、芯のように使用するとより発電の効率がいい結果となる。  プラスックの糸巻きのような物にコイルを幾重にも巻きビニールなどでゼツエンし缶状の物に入れ、その缶状の物と巻いて入れたゼツエンしたコイルの間に隙間無く鉄粉を入れ密封し外側に磁石をつけた物を幾つもつけたことにより効率の良い発電となる。
【発明の効果】
【０００５】  コイルの間に磁気をより多く通す事に発電が増大する。球状、粒状、粉状などになっている磁石が一つずつが磁気を出しているので、コイルに対して包み込む事が出来、より多くの電流を発生出来る。
【発明の効果】
【発明の実施するための最良の形態】
【０００６】  発電機のコイルの間、上下左右の何れかにも電流の絶縁する素材で磁気の通るステンレスとかプラスチック、油紙とかで作られたケースに球状、粒状、粉状などになっている磁石を流し込むだけで良い。
【産業上の利用可能性】
【０００７】  従来の発電機は鉄片を利用しているが、球状、粒状、粉状などになっている磁石を利用することによる通電性、製造上も生産性も格段に良くなるので今後全てこの方式になるであろう。
【図面の簡単な説明】
【０００８】
【図１】  上部からの図面である。
【図２】  側面からの図面である。
【図３】  上部図面の拡大図である。
【図４】  側面からの拡大図である。
【図５】  側面拡大図の断面図である。
【図６】  側面拡大図の立断面図である。
【図７】  拡大図の断面図である。
【符号の説明】
【０００９】  １    球状、粒状、粉状などになっている磁石
２    板状磁石
３    プラスチック
４    コイル
５    回転軸（回転は外側、内側どちらでも可）
６    鉄板
７    フライホイール
８    羽根
９    ＳＵＳ
１０  円盤
【図１】
2006197782.tif 000003
【図２】
2006197782.tif 000004
【図３】
2006197782.tif 000005
【図４】
2006197782.tif 000006
【図５】
2006197782.tif 000007
【図６】
2006197782.tif 000008
【図７】
2006197782.tif 000009
(57)【要約】      （修正有）【課題】道路票識やガードレール等の支柱、電柱，境界杭の根元に雑草が生えないようにしたマットの提供。【解決手段】不透水性マット１に穴を抜を設ける、切断部３は、雑草が生えないようにし、境界杭の確認ポールを通した後、接着マット４で密着する。【選択図】図１
2006197915.tif 000002
【特許請求の範囲】
【請求項１】
マット本体は不通水性を有し（１）マット本体中心にポールの直径と同じ穴（２）を設けポールに密着し草の生えないマット。
【請求項２】
切断部（３）は、ポールを通し密着し草の生えないマット。
【請求項３】
切断部（３）に、マット（４）を接着し草の生えないマット。
【請求項４】
切る抜き穴（２）とポールはコーキング材で接着固定し草の生えないマット。
【発明の詳細な説明】
【発明の詳細な説明】
【技術分野】
【０００１】  この発明は、電柱、境界杭、道路標識及びガードレール等のポールなどの周囲を、雑草等の植生を防止し、電柱、境界杭、道路標識及びガードレール等の管理できるマットに関するものである。
【発明が解決しようとする課題】
【０００２】  草刈機械等での電柱、境界杭、道路標識及びガードレール等の草刈作業は、次のような問題点があった。安全、能率的に草刈作業をするため、刈り残しを容認してきた。しかし、本発明は、以上の問題点を解決し、さらに使用済みのベルトコンベアー等のベルトの再利用も考えたものである。
【課題を解決する手段】
【０００３】  マット（１）にポールを通す穴（２）を設ける。マットの穴から１辺に向かい切り目を設ける（３）。（３）は密着用マットで接着する（４）。ポールとマットの密着の為コーキングする（５）。  本発明は、以上の構成よりなるポール等の根元に草が生えてこないマットである。
【発明を実施するための最良の形態】
【０００４】  以下、本発明の実施の形態を説明する。（イ）中古のベルトコンベアー等のベルト、及びカーペット等に不通水処理を施したマット（１）にポールを通す穴（２）を設ける。（ロ）（２）の穴から１辺に向かい切れ目（３）を設ける。（ハ）（３）を密着用のマットで接着する（４）。（二）ポールと穴を密着する為コーキングする。本発明は以上の構成よりなる。  本発明を使用する場合は、ポールとマットが密着することが重要であるので、ポールとマットの穴に空隙が生じないよう施工すること。
【発明の効果】
【０００５】  本発明は使用する事にとり、従来刈り残したポール周りの雑草等が生えてこなくなるので、草刈作業が安全、経済的、景観的にも効果的である。
【図面の簡単な説明】
【図１】本発明の斜視図
【図２】本発明の切断部を接着マットで密着した図
【図３】本発明の具体的使用例の斜視図
【符号の説明】
（１）マット本体、    （２）切抜き部、    （３）切断部（４）接着部
【図１】
2006197915.tif 000003
【図２】
2006197915.tif 000004
【手続補正書】
【提出日】平成17年5月13日(2005.5.13)
【手続補正１】
【補正対象書類名】明細書
【補正対象項目名】全文
【補正方法】変更
【補正の内容】
【発明の詳細な説明】
【技術分野】
【０００１】  本発明は、マット本体は不通水性を有し、電柱、境界杭、道路標識、ガードレール等の、ポールの根元に雑草の植生を防止するものである。【０００２】  草刈機械等での作業には、次のような問題点がある、小石等の跳ね上げ、刈り残し、作業能率の低下等がある。【０００３】  本発明は以上の問題点を解決しさらに使用済みベルトコンベアー等の再利用を解決するものである。
【図面の簡単な説明】
【０００４】
【図１】  本発明の斜視図
【図２】  本発明の使用例の斜視図
【符号の説明】
【０００５】  （１）    マット本体
（２）    切抜き部
（３）    切断部
（４）    接着用マット
【手続補正２】
【補正対象書類名】図面
【補正対象項目名】全図
【補正方法】変更
【補正の内容】
【図１】
2006197915.tif 000005
【図２】
2006197915.tif 000006
(57)【要約】【課題】  シアル酸を容易に摂取する方法を課題とする。【解決手段】  シアル酸の豊富な含有物質である燕の巣（アマツバメ目アマツバメ科アナツバメ属に属する鳥が、粘性の高いのり状の唾液を分泌して作った巣）を利用する事とした。燕の巣を粉末状またはゼラチン状にして飴に混入する事で、上記の課題を達成した。また、飴にする事によって携帯に便利、保存が容易、多様な年齢層に好まれ、シアル酸の積極的な摂取の日常化を図った。【特許請求の範囲】
【請求項１】
シアル酸の豊富な含有物質である燕の巣（アマツバメ目アマツバメ科アナツバ属に属する鳥が、粘性の高いのり状の唾液を分泌して作った巣）を混入した飴。
【請求項２】
シアル酸の豊富な含有物質である燕の巣を清潔に処理し、水飴と砂糖及び水を混合して煮つめ、燕の巣を調合するのに最適な温度になるのを待った後、調合し万遍に練り込み、冷やして粒状にした飴の製造方法。
【発明の詳細な説明】
【技術分野】
【０００１】  本発明はインフルエンザ予防に有効だと言われるシアル酸を摂取する為に、シアル酸の豊富な含有物質である燕の巣（アマツバメ目アマツバメ科アナツバメ属に属する鳥が、粘性の高いのり状の唾液を分泌して作った巣）を添加した飴、及び飴の製造方法に関する。
【背景技術】
【０００２】  従来、シアル酸がインフルエンザの予防ないし治療剤として有用である事は知られている。
例えば（特許公開２００３−２４６７９２）「抗インフルエンザウイルス化合物」において、「本発明のシアル酸誘導体・・・は、インフルエンザウイルス量の低下並びにインフルエンザウイルスに感染した細胞の生存率の改善作用が認められ、インフルエンザの予防ないし治療用食品としても有用である。」と結論している。【０００３】  従来、燕の巣を利用した健康食品、化粧品等は知られている。
例えば（特開平１１−３３２５２７）「燕の巣のエキス製造方法及び燕の巣入り健康食品、化粧品等」である。
その発明は、燕の巣のエキス抽出製造方法と、そのエキスを食品や化粧品に配合するを利用したものである。特に、後者のエキス配合健康食品についてであるが、燕の巣のエキスを抽出し「それをロイヤルゼリー、真珠、クロレラ、他など機能性健康食材原料と配合した液状化、錠剤状、粒状、粉末状、ゼラチン状球などに入れ等・・・した機能性食品」とある。
すなわち、抽出したエキスをロイヤルゼリー、真珠、クロレラ等に配合した、美容・健康食品である。
【発明の開示】
【発明が解決しようとする課題】
【０００４】  この美容・健康食品では、インフルエンザ発病率の高い子供や高齢者が、インフルエンザに有用だとされているシアル酸含有物を日常的に容易に摂取することが出来ない。【０００５】  飴に、豊富なシアル酸含有物質である燕の巣を含ませ、シアル酸を積極的に摂取するものはない。
【課題を解決するための手段】
【０００６】  飴にシアル酸の豊富な含有物質である燕の巣を可能な限り栄養分を保持しながら混入する。【０００７】  シアル酸の豊富な含有物質である燕の巣を混入した飴の製造方法。
【発明の効果】
【０００８】  この様な方法により、飴の形にする事により、携帯に便利、保存は容易、特に子供や高齢者などの弱者が容易に摂取でき親しめるなど、インフルエンザの予防、治療に有用だとされるシアル酸の摂取が、積極的に日常化しやすいとの効果を期する。【０００９】  インフルエンザ予防接種が不可能な、アトピー性皮膚炎（重篤な卵アレルギー）、麻疹、水疱瘡などの患者も、手軽にシアル酸の摂取が可能であり、インフルエンザの予防、治療に有用あるとの効果を期する。【００１０】  燕の巣自身の、加工工程を可能な限り減らす事により、その栄養分の損失を抑える事が出来る。
【発明を実施するための最良の形態と実施例】
【００１１】  燕の巣を清潔に処理し、粉末状または水で戻しゼラチン状にする。
【００１２】  水飴と砂糖および水を混合して煮つめ、調合台上で飴が燕の巣を調合するのに最適な温度になるのを待つ。（６０度から９０度）
【００１３】  上記
【００１１】を
【００１２】へ調合し、万遍に練り込む。この時、高温すぎると燕の巣の栄養分が損なわれ、低温すぎると殺菌および、飴の中への溶け込みが不十分となる。
【００１４】  上記
【００１３】を冷やし粒状にして、１個ずつ個装紙（密閉袋）に入れる。
(57)【要約】【課題】従来は、集魚効果を期待して集魚板を使用する場合、予め仕掛け中に組み込んでおくか、後でヨリモドシやサルカン等に外付けすることにより、糸絡みの原因になったり、集魚効果のある発光体を装着するためには、予め仕掛け中に装着用のチューブ等を組み込んでおくか、又は仕掛けを作り直さなければならない等の不便な場合が多かった。これらの不便を解消し、取付け・取外しが簡単な集魚板を提供すること。【解決手段】ポケット５に集魚効果のある発光体が装着できて、穴４及びスナップ１に釣糸を通し、スナップ１を閉じて釣糸を張ることにより、仕掛けや道糸のヨリモドシやサルカン等の金具がない部分にも簡単に取付けができる構造を特徴とする集魚板により、この課題を解決する。【選択図】図１
2006197912.tif 000002
【特許請求の範囲】
【請求項１】
ポケット５に集魚効果のある発光体が装着できて、穴４及びスナップ１に釣糸を通し、スナップ１を閉じて釣糸を張ることにより仕掛けや道糸のヨリモドシやサルカン等の金具がない部分にも簡単に取付けができる構造を特徴とする釣専用の集魚板。
【発明の詳細な説明】
【技術分野】
【０００１】この発明は釣りの仕掛けや道糸に取付け・取外しが簡単で、集魚効果のある発光体を装着できる集魚板に関するものである。
【背景技術】
【０００２】従来、集魚効果を期待して集魚板を使用する場合、予め仕掛け中に組み込んでおくか、後で仕掛け中のヨリモドシやサルカン等の金具に外付けすることになっていた。また、集魚効果のある発光体を装着するためには、予め装着専用のチューブ等が仕掛け中に組み込まれていなければならなかった。
【発明の開示】
【発明が解決しようとする課題】
【０００３】これは次のような問題点があった。
集魚板をヨリモドシやサルカン等に外付けすることにより、糸絡みの原因になったり、発光体を装着するためには、仕掛け中に装着用のチューブ等を予め組み込んでおくか、又は仕掛けを作り直さなければならない等の不便な場合が多かった。
【課題を解決するための手段】
【０００４】発光体の装着ができて、糸絡みが少なく、仕掛けや道糸のヨリモドシやサルカン等の金具がない部分にも簡単に取付け・取外しができる構造の集魚板である。
【発明の効果】予め仕掛けや道糸中に取り込まれるため、外付けによる糸絡みがなく、発光体と共に好きな位置に固定できるため、集魚板本体及び発光体の相乗効果により、集魚効果がさらに上がる。
【発明を実施するための最良の形態】
【０００５】以下、本発明の実施例について説明する。
図１〜３のごとく、穴４及びスナップ１に釣糸を通し、スナップ１を閉じて釣糸を張ることにより、釣糸中に固定されるため、仕掛けや道糸のヨリモドシやサルカン等の金具がない部分にも簡単に取付けができる上、ポケット５には、集魚効果のある発光体を装着できる。
なお、集魚板の材質はアルミニウムやステンレス等の軽金属、又はプラスチックが適している。
【図面の簡単な説明】
【０００６】
【図１】本発明の正面図である。
【図２】本集魚板を釣糸に取付ける場合の位置と順番を示す正面図である。
【図３】発光体を装着し、釣糸に取付けた時の正面図である。
【符号の説明】
【０００７】１  スナップ                  ６  発光体の光が漏れる穴
２  リング                    ７  釣糸
３  集魚板本体
４  釣糸を通す穴              ▲１▼〜▲３▼  集魚板に釣糸を通す位置と順番
５  発光体を挿入するポケット
【図１】
2006197912.tif 000003
【図２】
2006197912.tif 000004
【図３】
2006197912.tif 000005
(57)【要約】【課題】  家庭用の照明器具に集まる蚊やブヨなどの飛翔性害虫を殺虫剤や誘因剤を使用せず、人体や室内環境に優しい方法で駆除する捕虫器及びその装着方法を提供する。【解決手段】  照明に集まる飛翔性害虫の習性を利用し、家屋室内の照明自体を誘因素材とすることによって、本体は厚紙と粘着テープのみで構成され、軽量かつ低コストであり、中央に渡した厚紙のＵ字切込を家屋室内にある照明器具の紐に挟むことによって、紐と厚紙の摩擦力で装着することを特徴とする飛翔性害虫捕虫器及びその装着方法。【選択図】  図１
2006197917.tif 000002
【特許請求の範囲】
【請求項１】
照明に集まる飛翔性害虫の習性を利用し、家屋室内の照明自体を誘因素材とすることによって、本体は厚紙と粘着テープのみで構成され、軽量かつ低コストであり、中央に渡した厚紙のＵ字切込を家屋室内にある照明器具の紐に挟むことによって、紐と厚紙の摩擦力で装着することを特徴とする飛翔性害虫捕虫器及びその装着方法。
【発明の詳細な説明】
【技術分野】
【０００１】  本発明は、環状の厚紙に粘着テープを貼り付けた飛翔性害虫捕虫器及びその装着方法に関するものである。
【背景技術】
【０００２】  従来、天井等に支持する粘着式捕虫器があった（特許文献１参照）。
また、照明に集まる虫の習性を利用した粘着式の蚊取りランプがあった（特許文献２参照）。
【特許文献１】特許公開２００１−２１１８０５
【特許文献２】登録実用新案第３０９６９６０号
【発明の開示】
【発明が解決しようとする課題】
【０００３】  そのために、次のような問題点があった。
（イ）天井等に支持するため、設置が容易でなかった。
（ロ）蚊取りランプは、設置場所や電源が必要であった。
本発明は、これらの問題点を解決するためになされたものである。
【課題を解決するための手段】
【０００４】  粘着テープを貼り付けた帯状の厚紙を環状にする。
環状の中空部を指示するために中央付近に大小２つのＵ字型切込を入れた厚紙を渡す。
照明の紐の下から本体を入れ、厚紙の大きな切込に紐を挟む。
更に小さな切込を折り返して、大きな切込に咬まして装着する。
以上を特徴とする飛翔性害虫捕虫器及びその装着方法である。
【発明の効果】
【０００５】  厚紙と粘着テープのみで構成されているので、軽量かつ安価である。
照明の紐と紙の摩擦を利用した支持方式なので、装着が楽である。
スライド式なので高さを調整できる。
殺虫剤や誘因剤を使用せず、家屋室内の照明自体を誘因素材としているので、人体や室内環境に優しい。
照明に近い位置に設置できるので、熱で粘着力が増加し捕虫効果が増す。
また、高い位置なので粘着面が人体に触れず、安全である。
【発明を実施するための最良の形態】
【０００６】  以下、本発明の実施の形態を説明する。
（イ）長さ約３５ｃｍ前後、幅約４ｃｍ前後の帯状厚紙に粘着テープを貼り付け、粘着面が外側にくるようにして、帯の両端を接着し、環状にする。
（ロ）環状の中空部に渡す帯状厚紙は、中央付近に大小２つのＵ字型切込を入れ、両端は凹状にカットして環状の上下を挟むように組み込む。
大きいＵ字切込の横断部２箇所の中央付近には、紐を通す小さな穴を開ける。
（ハ）照明の紐を環状の本体に通して、中央に渡した厚紙の大きな切込に紐を挟み、小さな切込を折り返して、大きな切込に咬まして装着する。
本発明は、以上の構成よりなっている。
本発明を使用するときは、照明の紐を大きいＵ字切込に挟んで本体を装着してから、照明付近まで上方向にスライドさせて設置する。
照明に集まる飛翔性害虫は、照明の中央付近に設置した本体の粘着部分に触れることにより、捕らえられる。
【図面の簡単な説明】
【０００７】
【図１】本発明の斜視図
【図２】本発明の展開図
【図３】本発明の使用状態を示す斜視図
【符号の説明】
【０００８】      １  粘着テープ
２  厚紙▲１▼
３  厚紙▲２▼
４  Ｕ字切込▲１▼
５  Ｕ字切込▲２▼
６  穴
【図１】
2006197917.tif 000003
【図２】
2006197917.tif 000004
【図３】
2006197917.tif 000005
(57)【要約】【課題】  鉢植えの培土表面から植物の成長に利用されない水の蒸散を少なくし、コケ類や藻類などの繁殖が無く園芸鉢からの培地の飛び出しがしない、省資源で清潔安全な機能を持った園芸鉢を開発しようとするものである。【解決の手段】  不透明な硬質樹脂で出来た中空状の２分割以上された容器の上部中央に容器の外径より小さい上部穴（１）を開け、下部には水の給排水用の下部穴（３）設ける。容器が分割された状態で培地を容器の中に入れ、容器を合わせるようにして培地を容器で包み込む。【選択図】図１
2006197916.tif 000002
【特許請求の範囲】
【請求項１】
植物の培地部分を被うことを目的とした不透明な硬質樹脂製の容器で、上部中央に植物を植える穴を開け、下部には給排水用の穴を設けたことを特徴とする園芸鉢。
【発明の詳細な説明】
【技術分野】
【０００１】  本考案は、鉢植え植物の培地を被う形状をした硬質樹脂製の園芸鉢に関するものである。
【背景技術】
【０００２】  従来、植物を植えて生育させるまたは観賞することを目的とした園芸鉢は多くあるが、いずれも鉢下部より上部の方が大きい、または同じであった。鉢底部より上部の方が大きい場合は鉢を重ねる時に嵩を小さくする、また鉢を成型する時に内型を抜きやすくするのを目的で作られるのが一般的であった。また、鉢に植物を植える時にも鉢上部が広く空いている方が植えやすかった。
【発明の開示】
【発明が解決しようとする課題】
【０００３】  鉢上部が広く空いている植木鉢は土の表面に光線や風が多く当たり、鉢土表面からの植物の成長に利用さけない水の蒸散が多くあり余分な潅水を必要とした。またこれは水資源の無駄使いにもつながっていた。【０００４】  また、広く開いた鉢上部の土には光線が当たりコケ類や藻類などが繁殖することがあり、鉢植えの観賞価値や商品価値を損なうことがあった。【０００５】  鉢下部より上部の方が大きい鉢は鉢内部の上部の土を押さえるものが無いため、輸送中の衝撃や振動によって鉢内部の培地が飛び出し運送事故を起こすことがあった。本考案は、それらの欠点を除いて、省資源で清潔安全な園芸鉢を開発しようとするものである。
【課題を解決するための手段】
【０００６】  上記の目的を達成するために、本考案は植物の培地部分を被うことを目的とした不透明な硬質樹脂製の容器（２）で、容器の上部中央に容器の外径より小さい上部穴（１）を開け、下部には水の給排水用の下部穴（３）を設ける。容器は縦に２分割した状態に作られている。容器には分割された状態で中に培地を入れ、容器を合わせるようにして培地を容器で包み込む。
【発明の効果】
【０００７】  植物の培地部分を容器によって被うことによって培地に風や光をさえぎり、培土から植物の成長に利用されない水の蒸散を防ぎ節水効果がある。【０００８】また、コケ類や藻類などは培土に水分と光があると繁殖することがあるが、容器を光線の入り難い色や材質にすることによりコケ類や藻類の繁殖を防ぐ事が出来る。【０００９】容器の上部が狭くなっているため運送時の振動や転倒による培地の飛び出しを防ぐことが出来る。また容器が不透明であるため培地が隠されて見えにくいので清潔で綺麗である。
【発明を実施するための最良の形態】
【００１０】  本考案は以上のような構成であることから、これを使用するときは以下のようにする。
不透明な硬質樹脂で出来た中空状の２分割以上された容器の上部中央に容器の外径より小さい上部穴が開け、下部には水の給排水用の下部穴を開ける。容器を分割した状態で中に培地を入れ、容器を合わせるようにして培地を容器で包み込む。鉢皿に２から３ｍｍの深さに水を入れ、容器下部を下にして置く。水は容器下部の給排水用の穴から培地内に吸い上げられ、植物に利用される。または上部穴から潅水する。
【実施例】
【００１１】  本考案では鉢の形状は球体であるが多面体または円柱形でも良い。本考案では、材質は不透明な硬質樹脂で出来ているが陶器、ガラス、金属、木などでも良い。本考案では、上部穴の形状は円形であるが、多角形でも良い。また下部穴は単一または複数個であっても良い。【００１２】  本考案では、容器を縦に２分割しているが横に分割しても良い、または横と縦を含めた複数分割でも良い。
【図面の簡単な説明】
【００１３】
【図１】  本考案の一実施形態を示した概略斜視図である。
【図２】  従来技術の園芸鉢の一実施形態を示した概略斜視図である。
【符号の説明】
【００１４】１上部穴
２容器
３下部穴
【図１】
2006197916.tif 000003
【図２】
2006197916.tif 000004
(57)【要約】【目的】  本発明は、頸椎捻挫、契椎骨折など鞭打ち症を患った人の頸椎関節を、症状が回復するまで保護する頸部コルセットの改良に関するものである。【課題】  従来の頸部コルセットは、可撓性樹脂等を単に布等の保護材で覆った形状のものであるために、夏期等の暑い時期には汗で頸部が蒸れて痒くなったりして苦痛を伴う状況であった。【解決手段】  本発明では、頸部コルセットの平板状骨格部材及び外皮部分、又は駆体自体の、表裏間を貫通する多数の通気穴を設けたエア−バッグ等で構成して、頸部への接触を柔らかにすると共に、頸部皮膚面から外部への通気を確保して、暑さ対策と共に装着時の当たりを柔らかくして、頸部コルセットの装着感を改善したものである。【選択図】図１
2006197953.tif 000002
【特許請求の範囲】
【請求項１】
頸部コルセットの皮下を加圧気体が注入可能なエア−バッグで構成し、かつ、当該頸部コルセットの表裏間を貫通する多数の通気穴を設けた構造を特徴とする頸部コルセット。
【請求項２】
頸部コルセットを構成するエア−バッグの内側に、表裏間を貫通する多数の通気穴を設けた可撓性の平板状骨格部材を内包した構造を特徴とする頸部コルセット。
【請求項３】
頸部コルセットを構成する駆体に、表裏間を貫通する無数の通気穴を設けた可撓性の平板状骨格部材を内包した構造を特徴とする頸部コルセット。
【請求項４】
皮下をエア−バッグで構成した頸部コルセットに於て、皮下のエア−バッグを複数に分割し、分割した夫々のエア−バッグの内部圧力を個別に調整できる構造とした頸部コルセット。
【発明の詳細な説明】
【技術分野】
【０００１】
本発明は、頸椎骨の骨折や、捻挫、脱臼等、頸部の病気で鞭打ち症を患った人の頸部を症状が治癒するまで保護する、頸部コルセットの改良に関するものである。
【背景技術】
【０００２】
従来、頸椎周りで襟足の括れた形状に合わせた樹脂や布を用いたコルセットで保護し、頸椎周りの筋肉に負担をかけない様に固定して、鞭打ち症の治療をしていた。          
【発明の開示】
【発明が解決しようとする課題】
【０００３】
以上述べた従来の頸部コルセットでは、固定具が固く、又通気性が無いために、夏場等暑い時は、汗で頸部が蒸れて痒くなったりして、頸部コルセットの使用は非情な苦痛を伴う状況であった。
【０００４】
本発明は、この様な従来の頸部コルセットが有していた課題を解決しようとするものであり、頸部コルセットの通気性を高めると共に、柔軟性をもたせ、更に畜熱を放出する手段を講じて、頸部コルセット使用時の苦痛軽減を目的としたものである。
【課題を解決するための手段】
【０００５】
本発明は上記目的を達成するために、頸部コルセットの駆体の外側部分、又は駆体自体を柔軟性のあるエア−バッグで構成し、又、当該頸部コルセット駆体の裏から表に貫通する多数の通気穴を設けて通気を確保すると共に、気候条件によって当該頸部コルセットの内側即ち頸部皮膚面側に、夏季は高吸水性ポリマ−スポンジ等の放熱材や、冬期は保温材を装着可能にしたものである。
【０００６】
また、第２の課題解決手段は、頸部コルセットの柔軟性を保ちながら、頸部の固定効果を確実にするために、頸部コルセットの駆体を構成するエア−バッグの内部を複数に分割し、比較的に低圧力として皮膚面に柔軟に当たる部分と、高い圧力を加えて頸部コルセットの駆体形状を保持する骨格部材に分ける事も可能でる。
【０００７】
また、頸部コルセットの駆体形状を保持する骨格部材は、高圧力のエア−バッグの代わりに、エア−バッグの内部に適合できる樹脂、ゴム、その他の加撓性材料を用いて、駆体形状を保持する平板状骨格部材で構成する事も可能である。
【発明の効果】
【０００８】
上述したように本発明の頸部コルセットは、エア−バッグの柔軟性で頸部を保護するので、部分的な接触による違和感や苦痛を回避することができる。
【０００９】
また、コルセットの表側と頸部皮膚面側（内側）との間、即ちコルセットの駆体を貫通した多数の通気穴を設けているので、気候条件により必要に応じて、エア−バッグ外皮の皮膚側に装着する材料を考慮すれば通気性を確保出来るので、装着に当たって、暑さや汗による痒さ等の苦痛を緩和させる事ができる。    
【発明を実施するための最良の形態】
【００１０】
以下、本発明の形態を図１〜図２に基づいて説明する。
【００１１】
図において、１は樹脂、ゴムその他、可撓性の材料で構成し、表裏に貫通する多数の通気穴３を設けた平板状骨格部材で、コルセット本体内部のほぼ全域に収容して、頚部コルセットの骨格を形成する平板状骨格部材である。
【００１２】
２は、可撓性である平板状骨格部材１の全面を覆うエア−バック外皮であり、平板状骨格部材１と共通した通気穴３が貫通しており、当該通気穴３によって通気性を確保すると共に、エア−バッグ外皮２の前後方向への膨張を規制する効果も果たして、頸部コルセットの板状形態を保持している。
【００１３】
本発明の頸部コルセットは装着する前に、頸部コルセットのエア−バッグ外皮２内に接続されたエア−チュ−ブ５の他端に接続されたエア−ポンプ６を操作して、空気をエア−バッグ内に圧入してエア−バッグ外皮を膨張させて頸部に装着し、適時必要により圧力調整具７とエア−ポンプ６によってエア−バッグ外皮の膨らみを適度に調整することが出来る。
【００１４】
上述の１．２．３．で構成する頸部コルセットは、図１に示す形状にして、頸椎周り に巻き接続具４の止着材で接続固定し、鞭打症などの頸部を保護するものである。
【図面の簡単な説明】
【００１５】
【図１】は頸部コルセットの斜視図
【図２】は図１Ａ−Ａ部分の切断面図
【符号の説明】
【００１６】
１    平板状骨格部材
２    エア−バッグ外皮
３    通気穴
４    接続具
５    エア−チュ−ブ
６    エア−ポンプ
７    圧力調整具                                                              
【図１】
2006197953.tif 000003
【図２】
2006197953.tif 000004
(57)【要約】【課題】  従来の漬物の製法は、塩漬け、塩抜きの工程を必要とし、手間がかかることと、廃水問題を抱えている。このため、この工程を省略する新しい製法が提案されているが、日持ちが悪く、食味も今ひとつ不足し、普及度が低い。  塩漬け、塩抜き工程を省くことが出来、日持ちもよく低コストの美味しい漬物の製法を開発する。  生干し野菜の効用が見直されており、量産に適した製法が望まれている。【解決手段】  ４０℃以下の乾燥用空気流で、漬物の原料を重量比８０％以下に乾燥した後調味液に漬ける。  ４０℃以下の乾燥用空気流で、生干し野菜の原料を重量比８０％以下に乾燥する。  乾燥用の空気流は、冷却除湿式乾燥機の使用が最適である。【特許請求の範囲】
【請求項１】
４０℃以下の、好ましくは２０〜３０℃の乾燥用の空気流で、漬物或いは漬物に類似した惣菜の素材である野菜類の重量を当初の重量に対し８０％以下、好ましくは７０〜６０％に乾燥した後調味液に漬ける漬物或いは漬物に類似した惣菜の製法。
【請求項２】
４０℃以下の、好ましくは２０〜３０℃の乾燥用空気流で、生干し野菜の素材である野菜の重量を、当初の重量に対し80％以下、好ましくは70〜60％に乾燥する生干し野菜の製法。
【請求項３】
乾燥用空気流を冷却除湿式乾燥システムを使用して作る請求項１に記載の漬物或いは  漬物に類似した惣菜の製法、及び請求項2に記載の生干し野菜の製法。
【発明の詳細な説明】
【技術分野】
【０００１】
本発明は、野菜類の加工の前処理に関する。詳しくは、漬物や漬物に類似した惣菜の製造の前処理、或いは、生干し野菜の製造に関する。
【背景技術】
【０００２】
従来の漬物製法は、漬物原料を、整形・洗浄し、一定時間塩漬けした後、塩抜きをしてから調味液に漬け込んでいる。
この塩漬け、塩抜き工程は、手間もかかり、廃水処理も容易でなくコストも高くつくので、この工程を省略する方法がいろいろと考案されている。
またこの方法で作った漬物は、塩分濃度が高く健康上も好ましくない。
野菜類を日に曝して軽く干して味を濃厚化させた生干し野菜は、最近その良さが見直されており、効率的な作業方法が求められている。
【０００３】
漬物の製法に関する文献として下記のようなものがある。
特許第３０２３６３３号は、漬物原料としての野菜類を５０〜８５℃の温和な温度域の蒸気で加熱することにより、塩漬け、塩抜きをしたときと同様に調味液の浸透性を良くしようとするものである。特開平４-１８３３５５、特開平５-６８５０５は共に漬物の原料としての野菜類を蒸気加熱以外の方法で、温和な温度域で加熱して調味液の浸透性を良くしようとするものである。
特許平５−４３３３５号は、原料を真空凍結乾燥し調味液の浸透促進と、水分除去をしようとするものである。
【０００４】
特開２００２−３０６０６１のように、調味液浸透性の改善を行わず、そのまま調味液に漬けようという方法も提案されている。
生干し野菜に関する文献
N.H.K.は、生干し野菜の効用と、生干し野菜を作るにあたって、日に曝して干す前に、電子レンジで軽く水分を除去すると、簡単に早くできることを放送して奨励している。
【０００５】
【特許文献１】特許第３０２３６３３
【特許文献２】特開平４-１８３３５５
【特許文献３】特開平５-４３３３５
【特許文献４】特開平５-６８５０５
【特許文献５】特開２００２-３０６０６１
【非特許文献１】N.H.Ｋ.平成17年2月1日生活ホットモーニング
【発明の開示】
【発明が解決しようとする課題】
【０００６】
漬物の製法に関する上記の諸方法は、塩漬け塩抜きの工程を必要とせず作業の簡便化が図れ、廃水問題を解決し、健康上好ましい低塩漬物になるが、加熱を伴う方法については、加熱に伴う食味の変化はまぬかれることは出来ず、凍結真空乾燥法を除いては、脱水工程を省略しているので、水分率は原料と変わらず、日持ちも悪いし、漬物という範疇に入りがたく、あまり普及していないようである。特許平５−４３３３５号は、凍結真空乾燥法による乾燥をしているものの、この方法はコストが高くつきすぎるようである。
N.H.K.の生干し野菜の製法は、早くできるようになったが、従来の天日干し作業に、電子レンジ加熱の工程が加わり、量産には向いていない。
【０００７】
本発明は、塩漬け塩抜き工程を省略して、なお従来の漬物或いは漬物に類似した惣菜の製法を提供し、あわせて、生干し野菜の簡単な製法を提供しようとするものである。
【課題を解決するための手段】
【０００８】
４０℃以下の、好ましくは２０〜３０℃の乾燥用の空気流で、漬物或いは漬物に類似した惣菜の素材である野菜類の重量を、当初の重量に対し８０％以下、好ましくは７０〜６０％に乾燥した後調味液につける。
【０００９】
４０℃以下の、好ましくは２０〜３０℃の乾燥用の空気流で、生干し野菜の素材である野菜類の重量を、当初の重量に対し８０％以下、好ましくは７０〜６０％に乾燥する。
乾燥用の空気流は、冷却除湿式乾燥機の使用が最適である。
なお、本発明において、「漬物に類似した惣菜」というのは、従来漬物と称されていたもののうち、塩分が少なく、日持ちの悪いものについて、漬物でなく惣菜扱いになっているものをさす。
【発明の効果】
【００１０】
本発明を実施することにより、漬物或いは漬物に類似した惣菜の製法に関しては、上記文献の各方法と同様に、従来の方法に較べて塩漬け塩抜き工程を省略することが出来、塩漬け工程を省略することにより作業の簡便化が図れ、廃水処理問題をなくし、減塩健康食品を作ることが出来る。
本発明は更に上記文献の各方法(凍結真空乾燥法を除く)と違って水分率を低くしてあるので、日持ちもよくなっている。
また、本発明は、工程もシンプルで生産コストは低い。
干し野菜の製造に関しては、従来の方法や、上記のN.H.K.が紹介した改良された方法に較べ、量産に適している。
【００１１】
従来の漬物の製法では、塩漬け塩抜きの工程で美味しさの成分や栄養分が流出していたが、本発明によれば、水分は蒸発するだけなので美味しさの成分や栄養分が流出せず、従来製法の市販の漬物より美味しさや栄養の量は向上する。
調味液の浸透性について、赤インキ液による浸透性テスト及び食味テストでは満足度が高い結果が出ている。
【００１２】
（発明の実施形態）
食品加工業界の大規模化に伴ない、従来のバッチ式製法からコンベア−方式への移行が進んでいるが、各種検討の結果、下図のような台車を使用する方式のほうが経済性が高いことがわかり、台車方式で検討を進めている。
2006197922.tif 000002
一ヶ月２５日稼動して、白菜を月産原料ベ−スで１５トン、乾燥品ベ−スで１０トンの規模で生産を検討している。
(57)【要約】【課題】  ネジ式強化金属パ−ツを使用する事により、長期間の使用を可能にした、海釣り用の擬似餌を提供する。【解決手段】  金属棒（１）と（２）の輪の部分は、つなぎ目を溶接で接着し、接着後プレス加工で偏平にし、擬似餌（３）の中にある、中空軸（４）の下部から金属棒（２）を差し込み、溶接で接着し、中空軸（４）の上部から金属棒（１）を差し込み、ネジ式で締め込む事を特徴とする。【選択図】    図  １
2006197908.tif 000002
【特許請求の範囲】
【請求項１】
金属棒（１）と（２）の輪の部分は、つなぎ目を溶接で接着し、接着後プレス加工で偏平にし、擬似餌（３）の中にある、中空軸（４）の下部から金属棒（２）を差し込み溶接で接着し、中空軸（４）の上部から金属棒（１）を差し込み、ネジ式で締め込んだ擬似餌用金属パ−ツ。
【発明の詳細な説明】
【発明の詳細な説明】
【技術分野】
【０００１】  この発明は、海釣り用の擬似餌の中に組み込む強化金属パ−ツに関するものである。
【背景技術】
【０００２】  従来、擬似餌の中心にピアノ線を通し、両端に輪を作り、余った部分をねじって、止めているものがあった。
【発明が解決しようとする課題】
【０００３】  これは次のような欠点があった。
（イ）  ピアノ線の両端を、ねじって止めているだけなので、魚が釣れた時に掛かる負荷により、ねじった部分が緩んだり、ほどけたりするトラブルが多発していた。
（ロ）  一度、緩んだものは使用出来ず、長期間の使用が出来る程の強度がなかった。
本発明は、これらの欠点を除くためになされたものである。
【課題を解決するための手段】
【０００４】  擬似餌（３）の中にある、中空軸（４）の下部から金属棒（２）を差し込み溶接で接着する。
そして、中空軸（４）の上部から金属棒（１）を差し込みネジ式で締め込む。
本発明は、以上のような構成よりなる擬似餌用金属パ−ツである。
【発明を実施するための最良の形態】
【０００５】  以下、本発明の実施の形態について説明する。
（イ）  金属棒の片方の端を、輪の形に曲げ、つなぎ目を溶接で接着し、輪の部分をプレス加工で偏平にしたもの「金属棒（１）と（２）」を作成する。
（ロ）  中空軸（４）の下部から、金属棒（２）を差し込み溶接で接着する。
（ハ）  中空軸（４）の上部にも、金属棒（１）を差し込みネジ式で締め込む。
本発明は、以上のような構造で、これを使用するときは、金属棒（１）の輪の部分にスプリットリングと呼ばれる接続用金具を取り付け、釣り糸と接続する。そして、金属棒（２）の輪の部分にも、スプリットリングと呼ばれる接続用金具を取り付け、釣針と接続する。
【発明の効果】
【０００６】（イ）  金属棒（１）と（２）の輪の部分は溶接で接着し、接着後プレス加工で偏平にしているので、従来の方法より強度が増し、輪の部分が破損するという事が無くなった。
（ロ）  金属棒（１）と中空軸（４）は、ネジ式でつないでいる為、もし、緩む事があっても、ネジ式なので簡単に締め直す事が出来、長期間の使用が可能になった。
【図面の簡単な説明】
【図１】    本発明の一部を切り欠いた側面図である。
【図２】    本発明の斜視図である。
【符号の説明】
１  金属棒
２  金属棒
３  擬似餌（ボディ−）
４  中空軸
【図１】
2006197908.tif 000003
【図２】
2006197908.tif 000004
(57)【要約】      （修正有）【課題】魚釣り中仕掛けの糸絡みの防止と、遊動性による集魚効果を増すことができるＳ字型プラスチックの提供。【解決手段】長方形状の厚さ1〜2mmのプラスチック板1の上下の端寄りに穴2を空け、全体をSの字状に変形させ、穴2にハリスを通して使用する。【選択図】図１
2006197909.tif 000002
【特許請求の範囲】
【請求項１】
厚さ１〜２ｍｍのプラスチックの１の板を幅１，５ｃｍ、長さ３〜４ｃｍ切り取ります。上下の端寄りに２の穴を空け、角に丸みを付け、３のＳ字型に変形させます。
【発明の詳細な説明】
【産業上の利用分野】
【０００１】レジャーの魚釣りの仕掛け、ハリスに使用する小物です。
【背景技術】
【０００２】従来はビーズ、玉など丸みの物が主流の技術です。
【考案が解決しようとする課題】
【０００３】従来のビーズ、玉などは釣り針のチモトに溜り遊動性が無くなり、仕掛け絡みの原因になります、空洞の物は中に水が入ります。
【課題を解決する手段】
【０００４】ハリス糸の中間に取り付けて使用して海中では潮の流れに作用して遊動し仕掛けの縦糸より離れるので、仕掛け絡みも少なくなります。
【作用と実地例】
【０００５】魚釣り中の仕掛け絡みの減少の作用と、集魚効果の増す実地例が有ります。
【考案の効果】
【０００６】魚釣り中の仕掛け絡みの減少の効果と、集魚効果が増す効果が有ります。
【図面の簡単な説明】
【図面】
１，プラスチックの板
２，糸を通す穴
３，Ｓ字型
【図１】
2006197909.tif 000003
【手続補正書】
【提出日】平成17年3月11日(2005.3.11)
【手続補正１】
【補正対象書類名】明細書
【補正対象項目名】全文
【補正方法】変更
【補正の内容】
【発明の詳細な説明】
【技術分野】
【０００１】  レジャ−の魚釣りの仕掛けのハリス部分に付けて使用する小物です。
【背景技術】
【０００２】  従来はビ−ズ又は玉など丸い物が主流の技術です。
【考案が解決しようとする課題】
【０００３】  従来のビ−ズや玉はハリスのチモトに溜り遊動性が無くなり仕掛け絡みの原因になります、空洞の物は中に水が入ります。
以上が解決しようとする課題です。
【課題を解決する手段】
【０００４】  ハリスの中間に取り付けて使用し浮力にて潮の流れに作用して遊動して仕掛け絡みを解决し、集魚効果を増す手段です。
【作用と実地例】
【０００５】  魚釣りに使用中の仕掛け絡みの減少の作用と、集魚効果の為、釣り課の増す実地例が有ります。
【考案の効果】
【０００６】  魚釣りに使用中に仕掛け絡みの減少の効果と、集魚効果が有り、釣り課の増す効果が有ります。
【図面の簡単な説明】
【０００７】
【図１】  正面図    側面図
【符号の説明】
【０００８】１，プラスチック板本体
２，ハリス糸通し穴
３，Ｓ字型側面
(57)【要約】【課題】  カプサイシン独特のシャープで強烈な辛さを得ることができるポン酢調味料を提供すること。【解決手段】  この発明のポン酢調味料は、カプシカムフルテッセンス種の唐辛子の辛味成分であるカプサイシノイドを含むポン酢調味料であって、カプサイシノイドの含有濃度が１０ｐｐｍ以上１００ｐｐｍ以下であるものとしている。また、唐辛子の粉砕片が含まれていないものとすることができる。さらに、唐辛子は東南アジア産の青唐辛子とすることができる。【選択図】  なし【特許請求の範囲】
【請求項１】
カプシカムフルテッセンス種の唐辛子の辛味成分であるカプサイシノイドを含むポン酢調味料であって、カプサイシノイドの含有濃度が１０ｐｐｍ以上１００ｐｐｍ以下であることを特徴とするポン酢調味料。
【請求項２】
唐辛子の粉砕片が含まれていない請求項１記載のポン酢調味料。
【請求項３】
唐辛子が東南アジア産の青唐辛子である請求項１又は２記載のポン酢調味料。
【発明の詳細な説明】
【技術分野】
【０００１】
この発明は、ポン酢に醤油等をあわせたポン酢調味料に関するものである。
【背景技術】
【０００２】
従来、ゆず、すだち等の柑橘類の果汁であるポン酢に、醤油、液糖、だし汁をあわせたポン酢調味料があり、「ポン酢醤油」等と称して販売されていた（例えば、特許文献１参照）。また、タカノツメ等の唐辛子（分類学的学名カプシカムアナム  Ｃａｐｓｉｃｕｍ ａｎｎｕｕｍ）を細かく粉砕したものと、ニンニクや味噌等を混ぜた辛味成分入りのポン酢調味料があった。
【０００３】
しかし、カプシカムアナム種の唐辛子は、辛味成分であるカプサイシノイドの大部分を占めるカプサイシンとジヒドロカプサイシンのうち、ジヒドロカプサイシンの含有比率が比較的高いため、この辛味成分入りのポン酢調味料は、カプサイシン独特のシャープで強烈な辛さを得ることができていなかった。
【特許文献１】特開２００４−４９１０４号公報
【発明の開示】
【発明が解決しようとする課題】
【０００４】
そこで、この発明は、カプサイシン独特のシャープで強烈な辛さを得ることができるポン酢調味料を提供することを課題とする。
【課題を解決するための手段】
【０００５】
この発明のポン酢調味料は、カプシカムフルテッセンス種の唐辛子の辛味成分であるカプサイシノイドを含むポン酢調味料であって、カプサイシノイドの含有濃度が１０ｐｐｍ以上１００ｐｐｍ以下であるものとしている。
【０００６】
また、唐辛子の粉砕片が含まれていないものとすることができる。
【０００７】
さらに、唐辛子は東南アジア産の青唐辛子とすることができる。
【発明の効果】
【０００８】
この発明のポン酢調味料は、カプシカムフルテッセンス種の唐辛子の辛味成分の含有濃度を１０ｐｐｍ以上１００ｐｐｍ以下としたことにより、カプサイシン独特のシャープで強烈な辛さを味わうことが可能となっている。
【発明を実施するための最良の形態】
【０００９】
以下、この発明の好適な実施形態を説明する。
【００１０】
このポン酢調味料は、カプシカムフルテッセンス種の唐辛子の辛味成分であるカプサイシノイドを含むポン酢調味料であって、カプサイシノイドの含有濃度が１０ｐｐｍ以上１００ｐｐｍ以下としたものである。
【００１１】
カプシカムフルテッセンス（Ｃａｐｓｉｃｕｍ  ｆｒｕｔｅｓｃｅｎｓ）種は、日本ではキダチトウガラシと呼ばれる種で、多年生で、熱帯・亜熱帯地域に分布しており、その辛味成分であるカプサイシノイドの含有量は、タカノツメ等のカプシカムアナム種よりも１．５〜２倍程度多く、しかも、ジヒドロカプサイシンの含有比率が比較的低く、カプサイシン特有のシャープで強烈な辛さがある。
【００１２】
このポン酢調味料に使用するカプシカムフルテッセンス種の唐辛子は、東南アジア、主にタイで生産される青唐辛子とすることができる。特にタイ産の唐辛子（ＰＲＩＫ−ＫＨＥＥ−ＮＨＵ）で、緑熟色、長さが４ｃｍ以下で、乾燥や加熱等していない生のものを使用するとよい。
【００１３】
このポン酢調味料は、唐辛子のカプサイシノイド、酢、ゆず果汁・醤油・液糖・だし汁などを調合することにより製造することができる。
【００１４】
カプサイシノイドは、適宜の方法により唐辛子から抽出して調合することが望ましい。従来の辛味成分入りのポン酢調味料は、粉砕した唐辛子を混ぜているため、唐辛子の粉砕片が含まれていたが、唐辛子からカプサイシノイドを抽出して調合することにより、ポン酢調味料に唐辛子の粉砕片が含まれないようにすれば見た目や口当たりがよい。
【００１５】
酢は醸造酢を使用することができる。ゆず果汁の代わりにすだちやレモン等の柑橘類の果汁を使用してもよい。液糖には果糖ぶどう糖液糖、だし汁には昆布だし及びカツオだしを使用することができる。
【００１６】
また、これら以外の酸味料や食塩その他の調味料等の材料を加えてもよい。各材料の分量は適宜でよいが、ポン酢調味料のカプサイシノイドの含有濃度（重量の割合）が１０ｐｐｍ以上１００ｐｐｍ以下となるようにする。
【００１７】
このポン酢調味料は、上記のようにカプシカムフルテッセンス種の唐辛子の辛味成分を含有することにより、独特の辛味と風味を有するものとなっており、焼肉、唐揚げ、餃子、サラダ、しゃぶしゃぶ、鍋物、冷奴、つけめん、焼き魚、焼きそば、スパゲッティー、炒め物、カレー煮物等、適宜の料理に、そのまま、あるいは他の調味料と組み合わせて使用することができる。
【００１８】
このポン酢調味料を使用すると、食欲が増進するとともに、新陳代謝が盛んになり、体温上昇がおこり発汗作用が促される。このポン酢調味料を試食者１２０名に１ｃｃ試食してもらったところ、１０３名が発汗したと答えた。
【００１９】
さらに、このポン酢調味料の試食者１２０名中の１０４名から、従来の辛味成分入りのポン酢調味料よりも後味が良くなったという回答が得られた。すなわち、従来の辛味成分入りのポン酢調味料は、カプシカムアナム種の唐辛子の辛味成分に加えてニンニクや味噌などが含まれており、ポン酢本来のすっきりとした後味が損なわれていたが、本願のポン酢調味料は、カプシカムフルテッセンス種の唐辛子の辛味成分のみを抽出し、ゆず・醤油・液糖・だし汁などと調合しているので、辛味成分と他の成分とのバランスが良くなっている。
【００２０】
また、カプサイシノイドの含有濃度（重量の割合）は、２０ｐｐｍ以上４０ｐｐｍ以下とすることが好適である。カプサイシノイドの含有濃度の異なる複数種類のポン酢調味料を試食してもらったところ、１２０名中７０名から、カプサイシノイドの含有量を２０ｐｐｍ以上４０ｐｐｍ以下としたものがちょうど良い辛さであるとの回答が得られた。